(57)【要約】【課題】  流し台の排水口の洗浄に際して１つのブラシで太いパイプ部分と細いパイプ部分を洗浄できるようにすることを課題とする。【解決手段】  流し台の排水口を洗浄するブラシとして、先端から長手方向へ長尺の穴である支持穴が形成される棒体からなる柄部と、前記柄部の先端に固定される複数の毛により形成される固定ブラシと、前記支持穴内に摺動可能に保持される棒体よりなる可動杆と、前記可動杆の先端に設けられる前記柄部の外径よりも小さな台座部と台座部に固定される複数の毛とより形成される可動ブラシを前記可動杆の前記支持穴からの所定の突出位置において固定する可動杆固定手段とを設ける。【選択図】  図２
2007068945.tif 000002
【特許請求の範囲】
【請求項１】
先端から長手方向へ長尺の穴である支持穴が形成される棒体からなる柄部と、
前記柄部の先端に固定される複数の毛により形成される固定ブラシと、
前記支持穴内に摺動可能に保持される、棒体よりなる可動杆と、
前記可動杆の先端に設けられる台座部と台座部に固定される複数の毛とより形成される可動ブラシと
前記可動杆を前記支持穴からの所定の突出位置において固定する可動杆固定手段と
を有する流し台排水口用洗浄ブラシ。
【請求項２】
前記可動杆固定手段は、
前記柄部の側面に設けられる前記支持穴内部が表出する深さを持つ長手方向に伸び、一部に長手方向にほぼ垂直な切り欠きが設けられた長穴と、
前記可動杆の後端もしくは側面に固定され、前記長穴から表面に表出するとともに、前記切り欠きに係合する棒材よりなるストッパーと
から構成される流し台用排水口洗浄ブラシ。
【発明の詳細な説明】
【技術分野】
【０００１】  本発明は流し台の排水口部分を洗浄するためのブラシに関する。
【背景技術】
【０００２】  流し台の排水口は、食物のカスや油分によりヘドロ状になった汚れがつきやすいため、しばしば洗浄する必要がある。流し台の排水口は、上方にゴミ籠を収めるための太いパイプ部分が設けられ、その下に防臭キャップを経て、トラップから下水へと通じる細いパイプが繋がっている。通常、流し台の排水口の洗浄には、上方の太いパイプ部分はたわしなどの太いブラシで洗浄し、細いパイプ部分は使い古した歯ブラシなどの細いブラシで洗浄することが多い。
【発明の開示】
【発明が解決しようとする課題】
【０００３】  しかし、流し台の排水口の洗浄に際して２種類のブラシを用意するのは、手間であり収納スペースを多く取るという問題がある。
本発明は上記の問題に鑑み、流し台の排水口の洗浄に際して１つのブラシで太いパイプ部分と細いパイプ部分を洗浄できるようにすることを課題とする。
【課題を解決するための手段】
【０００４】  上記課題を解決するために、本発明は次のような構成を有する。
請求項１に記載の発明は、先端から長手方向へ長尺の穴である支持穴が形成される棒体からなる柄部と、前記柄部の先端に固定される複数の毛により形成される固定ブラシと、前記支持穴内に摺動可能に保持される棒体よりなる可動杆と、前記可動杆の先端に設けられる前記柄部の外径よりも小さな台座部と台座部に固定される複数の毛とより形成される可動ブラシを前記可動杆の前記支持穴からの所定の突出位置において固定する可動杆固定手段とを有する流し台排水口用洗浄ブラシである。
請求項２に記載の発明は、前記流し台排水口用洗浄ブラシにおいて、前記可動杆固定手段は、前記柄部の側面に設けられる前記支持穴内部が表出する深さを持つ長手方向に伸びる、一部に長手方向にほぼ垂直に切り欠きが設けられた長穴と、前記可動杆の後端もしくは側面に固定され、前記長穴から表面に表出するとともに、前記切り欠きに係合する棒材よりなるストッパーとから構成されるものである。
【発明の効果】
【０００５】  請求項１に記載の発明は、固定ブラシが先端に設けられた柄部の先端部分から柄部の外径よりも小さな台座部に毛を固定した可動ブラシが先端方向に摺動し、これを所定の突出位置で固定することができる。このような構成により、太いパイプ部分を洗浄する際には可動ブラシを突出させずに固定ブラシと一体としてこの状態で洗浄し、細いパイプ部分を洗浄する際には可動ブラシを突出させて固定し可動ブラシを用いて洗浄する。即ち、一つのブラシで太いパイプ部分と細いパイプ部分を洗浄することができ、収納時にも可動部分を収めて一本のブラシとして収納することができる。
請求項２に記載の発明は、簡易な構造により、ストッパーを長穴内で移動させることで可動杆を柄部内で摺動させ、ストッパーを長穴の切り欠きに係合させることで可動杆を固定させることができる。
【発明を実施するための最良の形態】
【０００６】  以下、本発明の実施形態について、図面を参照しながら説明する。
図１に、本実施形態に係る流し台排水口用洗浄ブラシＸの正面図を示す。流し台排水口用洗浄ブラシＸは柄部１０、固定ブラシ２０、可動杆３０、可動ブラシ４０とから構成される。
柄部１０は合成樹脂により形成される太さ約１５ｍｍ、長さ約２５０ｍｍの棒体であり、内部に先端から長手方向に長さ約１８０ｍｍ、直径約４ｍｍの長尺の穴より構成される支持穴１１が形成されている。柄部１０の先端側はやや太くなっており、外径が約２５ｍｍに形成されている。また、後端側も持ちやすいように同じ外径に形成されている。後端側には、フックなどに引っ掛けるための丸穴１３が設けられている。さらに、柄部１０の側面には、長さ約１０５ｍｍ、幅約４ｍｍの長穴１２が支持穴１１が表出するように設けられている。長穴１２の後端は支持穴１１の後端とほぼ一致し、長穴１２の先端部には長手方向に垂直に柄部１０の外周に沿って幅約４ｍｍ切り欠き１２ａが形成されている。
固定ブラシ２０は、柄部１０の先端の太くなっている部分１１の側面全体にわたって植毛された複数のナイロン製の毛２２により構成される。この毛は柄部１０の先端に設けられる複数の小口ごとに毛先の長さが約２０ｍｍ程度となるように、太さ約０．３ｍｍの毛が５０本程度固定されている。【０００７】  可動杆３０は、２本の鋼線を互いにねじることで形成した棒体であり、長さ約１９０ｍｍ、太さ約３ｍｍに形成されている。可動杆３０は柄部１０の支持穴１１内に挿入され摺動可能に支持される。また、可動杆３０の後端は直角に曲げられ、前記柄部１０の長穴１２から柄部１０の表面より上に突出するストッパ３１を形成している。このストッパー３１と柄部１０の長穴１２とにより可動杆固定手段が形成される。
可動ブラシ４０は直径約１５ｍｍ、長さ約１５ｍｍの円筒体よりなる台座部４１と台座部４１の全体にわたって植毛された複数のナイロン製の毛４２とから構成される。この毛４２は固定ブラシ２０と同様に、台座部４１の先端に設けられる複数の小口ごとに毛先の長さが約２０ｍｍ程度となるように、太さ約０．３ｍｍの毛が５０本程度固定されている。台座部４１の下面中央には可動杆３０の先端にきつく嵌合する直径をもつ約１０ｍｍの深さの穴が穿たれており、この穴に可動杆３０の先端が嵌合することで可動ブラシ４０は可動杆３０に固定されている。【０００８】  次に、以上のような構成を有する流し台排水口用洗浄ブラシＸの使用方法について説明する。まず、最初は、図１に示すように可動ブラシ４０を柄部１０の先端に接触させ、固定ブラシ２０と一体で一つのブラシとする。この状態で、流し台排水口の蓋とゴミ籠を取り除き、適宜洗浄液を使用しながら、太いパイプ部分を洗浄する。次に、流し台排水口の太いパイプ部分の底面に取り付けられている防臭キャップを取り外し、太いパイプ部分の底面から突出する細いパイプ部分を表出させる。なお、取り外したゴミ籠や防臭キャップも流し台排水口用洗浄ブラシＸにより洗浄することが望ましい。その後、柄部１０の側面の長穴１２から突出するストッパー３１を柄部１０の先端側にスライドさせ可動ブラシ４０を柄部１０の先端から突出させる。そして、ストッパー３１が長穴１２の最先端部分に突き当たったところで、長穴１２の切り欠き１２ａ側にストッパー３１を倒して、ストッパー３１を切り欠き１２ａに係合させる。これにより、図２に示すように、可動杆３１の摺動が拘束され、可動ブラシ４０が突出した状態で固定される。この状態で、太いパイプ部分の底面から突出する細いパイプ部分の外表面および内部を適宜洗浄液を用いながら柄部１０の先端から突出した可動ブラシ４０により洗浄する。作業が終了したら、防臭キャップ、ゴミ籠、蓋を元の位置に戻し、可動ブラシ４０を柄部１０の先端に接触するように納めて流し台排水口用洗浄ブラシＸを所定の場所に収納する。このように流し台排水口用洗浄ブラシＸにより、流し台排水口を一つのブラシで適切に洗浄することができ、また、一本にまとまる上に、可動ブラシを縮めることができるので収納時に場所をあまりとることがない。
【図面の簡単な説明】
【０００９】
【図１】  実施形態に係る流し台排水口用洗浄ブラシを示す正面である。
【図２】  実施形態に係る流し台排水口用洗浄ブラシの可動杆を先端側へ摺動させて固定した状態を示す正面図である。
【符号の説明】
【００１０】Ｘ      流し台排水口用洗浄ブラシ
１０    柄部
１１    支持穴
１２    長穴
１２ａ  切り欠き
１３    丸穴
２０    固定ブラシ
２２、４２  毛
３０    可動杆
３１    ストッパ
４０    可動ブラシ
４１    台座部
【図１】
2007068945.tif 000003
【図２】
2007068945.tif 000004